(57)【要約】【課題】略垂直に配設したケーブルラックへのカバーの取り付けに適し、構成部材点数を抑えて構成を簡略化すると共に、ケーブルラックへのカバーの取付作業の施工性も高められるカバー取付装置、及びケーブルラックのカバー取付構造を提供する。【解決手段】親桁４と子桁５からなるケーブルラック１にカバー２を取り付けるカバー取付装置である。ケーブルラック１の子桁５内に係止させる係止部８と、カバー２を取着する取着部９と、係止部８と取着部９とを連結する一体物である連結部１０とを備える。【選択図】        図１
2004282854.tif 000002
【特許請求の範囲】
【請求項１】
親桁と子桁からなるケーブルラックにカバーを取り付けるカバー取付装置であって、ケーブルラックの子桁内に係止させる係止部と、カバーを取着する取着部と、係止部と取着部とを連結する一体物の連結部とを備えたことを特徴とするカバー取付装置。
【請求項２】
取着部を係止部の対向位置に位置して設けると共に、取着部と係止部との間に立設させた連結部でカバーを支持するようにしたことを特徴とする請求項１記載のカバー取付装置。
【請求項３】
連結部は、大略板状をなすと共に、カバーの取り付け状態においてケーブルラックの親桁と平行となるように設けたことを特徴とする請求項２記載のカバー取付装置。
【請求項４】
取着部、係止部及び連結部を一体に形成したことを特徴とする請求項２または３に記載のカバー取付装置。
【請求項５】
板材の一端と他端とをそれぞれ折り曲げて取着部及び係止部を形成すると共に、該折り曲げた一端と他端との間の板材の部位を連結部としたことを特徴とする請求項４記載のカバー取付装置。
【請求項６】
断面リップ付きコ字状の長尺材で子桁を構成し、略矩形板状に係止部を形成し、係止部の短辺長さを子桁の１対のリップ片間の開口幅より短く形成すると共に、係止部の長辺長さを該１対のリップ片間の開口幅より長く形成したことを特徴とする請求項５記載のカバー取付装置。
【請求項７】
親桁の長手方向に略直交して子桁を交差させると共に、この子桁を断面コ字状に形成したケーブルラックにカバーを取り付ける取付装置であって、取着部は、子桁内に係止させる係止部に対して親桁の長手方向の側に位置し、連結部を子桁の側壁を跨いで係止部と取着部とを連結するようにしたことを特徴とする請求項１記載のカバー取付装置。
【請求項８】
係止部を、連結部から延設して子桁内に挿入される挿入部と、該挿入部と摺動可能に係合すると共に摺動して子桁内に係止する摺動部とから形成したことを特徴とする請求項７記載のカバー取付装置。
【請求項９】
係止部、取着部及び連結部を一体に設けたことを特徴とする請求項７記載のカバー取付装置。
【請求項１０】
板材の中央域にその幅方向に亙って凹没する凹没部を形成し、この凹没部で連結部を構成し、凹没部の一端側から延設した板材の部位で取着部を形成し、凹没部の他端側から延設した板材の部位で係止部を形成したことを特徴とする請求項９記載のカバー取付装置。
【請求項１１】
子桁内に係止する係止片を連結部に設けたことを特徴とする請求項７乃至１０のいずれかに記載のカバー取付装置。
【請求項１２】
親桁と子桁からなるケーブルラックに、請求項１乃至１１のいずれかに記載のカバー取付装置を介してカバーを取り付けたことを特徴とするケーブルラックのカバー取付構造。
【発明の詳細な説明】
【０００１】
【発明の属する技術分野】
本発明は、ケーブルラックにカバーを取り付けるためのカバー取付装置、及びケーブルラックへのカバーの取付構造に関する発明である。
【０００２】
【従来の技術】
電気コードなどのケーブルＫを配線するケーブルラック１は、一般的に、一対の長尺の親桁４の間に複数の子桁５を間隔を隔てて架設して梯子状に形成され、親桁４と子桁５とで囲まれた配線空間ＳにケーブルＫを配設して使用される。上記のようにケーブルラック１はそのまま使用されることもあるが、ケーブルラック１の敷設場所や配設するケーブルＫの種類などのケーブルラック１の使用条件によっては、配設するケーブルＫの保護などを目的として、図１９に示すようにケーブルラック１に適宜カバー２を取り付けて使用することもある（たとえば、特許文献１参照）。
【０００３】
この図１９のものでは、カバー２をケーブルラック１に取り付けるには、一端にフック部４０を設けると共に他端に雄ネジ部４１を設けたフックボルト４２と、カバー２の幅寸法よりも長いバー材４３とを用い、カバー２の幅方向の両端部を一対の親桁４の上に載置させるかたちでカバー２を一対の親桁４に架け渡して配置し、カバー２の幅方向に渡すようにバー材４３をカバー２上に載置し、バー材４３の長手方向の両端部をカバー２の幅方向端部から突出し、フック部４０を親桁４に引っ掛けた状態のフックボルト４２の雄ネジ部４１をバー材４３の長手方向の両端部に設けた貫通孔４４に挿通し、雄ネジ部４１にナット４５を螺合させ、バー材４３とフックボルト４２のフック部４０とでケーブルラック１及びカバー２を挟持させることで行われている。
【０００４】
【特許文献１】
特開平９−１６８２１７号公報
【０００５】
【発明が解決しようとする課題】
ところで、ケーブルラック１は、ケーブルＫを建物内などに適宜配線するものであるから、略水平状態に配設する場合もあれば略垂直状態に配設する場合もある。上述した図１９のものを略垂直に配設したケーブルラック１へのカバー２の取り付けに採用すると、略垂直に配設したケーブルラック１に対し、カバー２、バー材４３及びフックボルト４２等を所定位置に維持させた状態で、フックボルト４２の雄ネジ部４１へのナット４５の締結作業を螺合させることを行わねばならないものであり、一人の作業者では対応できない困難な作業となり、また、ケーブルラック１に取り付けられたカバー２はケーブルラック１とバー材４３との間に挟持固定されているだけであるから、挟持圧が緩くなった場合にはカバー２はその自重により下方に滑り落ちる危険性があり、結果、図１９のものは略垂直状態に配設したケーブルラック１に対しては採用できるものではない。無論、ケーブルラック１に沿わせて配置したカバー２が自身の重量でケーブルラック１に対して摺動してしまう可能性のある、傾斜状態に敷設したケーブルラック１にカバー２を沿わせるかたちで取り付ける場合にも図１９のものは採用できるものではない。
【０００６】
そこで、略垂直に配設したケーブルラック１にカバー２を取り付けるには、たとえば図２０、２１に示すカバー取付装置３’が用いられている。このカバー取付装置３’は、ケーブルラック１の親桁４に係止させる係止部８’、カバー２を取着する取着部９’、係止部８’と取着部９’とを連結する連結部１０’を有して構成されている。具体的には、このカバー取付装置３’は、親桁４をその幅方向外側から挟持する一対の親桁用金具４６，４６、カバー２を取着するカバー取着用金具４７を有し、親桁用金具４６，４６とカバー取着用金具４７とをボルト４８及びナット４９，５０の締結にて一体化することで構成されたものである。ここで、親桁用金具４６，４６における親桁４の幅方向の端部に引掛けるフック部４６ａ，４６ａがそれそれ係止部８’を構成し、カバー取着用金具４７が取着部９’を構成し、ボルト４８及びナット４９，５０が連結部１０’を構成している。そして、このカバー取付装置３’を用いて略垂直に配設したケーブルラック１にカバー２を取り付けるには、親桁を挟持させた親桁用金具４６，４６をボルト４８とナット４９の締結にて一体に固定し、カバー２をカバー取着用金具４７に取着し、カバー取着用金具４７に穿孔した貫通孔５１を親桁用金具４６，４６を一体にしたボルト４８の軸部４８ａに挿通させるようにカバー２をケーブルラック１に沿わせて配置し、軸部４８ａに間にカバー取着用金具４７を介してナット５０を締結させることで、カバー取着用金具４７と親桁用金具４６，４６とを一体に固定することで行われる。
【０００７】
しかしながら、このカバー取付装置３’は、カバー２のケーブルラック１への取付作業に用いるボルト４８やナット４９，５０を含めると構成部材点数は多いものであって、その構成は複雑であると共に、カバー２のケーブルラック１への取付作業も作業者には煩雑な作業であるボルトとナットとの締結作業が多いことから施工性も悪いものであった。
【０００８】
本発明は上記の点に鑑みてなされたものであり、略垂直に配設したケーブルラックや傾斜状態に配設したケーブルラックへのカバーの取り付けに適し、構成部材点数を抑えて構成を簡略化すると共に、ケーブルラックへのカバーの取付作業の施工性も高められるカバー取付装置、及びケーブルラックのカバー取付構造を提供することを課題とするものである。
【０００９】
【課題を解決するための手段】
上記課題を解決するために本発明に係るカバー取付装置３は、親桁４と子桁５からなるケーブルラック１にカバー２を取り付けるカバー取付装置であって、ケーブルラック１の子桁５内に係止させる係止部８と、カバー２を取着する取着部９と、係止部８と取着部９とを連結する一体物である連結部１０とを備えたことを特徴とする。これによると、係止部８を子桁５内に係止させてカバー取付装置３をケーブルラック１に固定させた状態で、一体物である連結部１０を介して係止部８と連結した取着部９にカバー２を取着させてカバー２をケーブルラック１に取り付けるようにできる。つまり、カバー２のケーブルラック１への取付作業が段階的に行えるから、重量のあるカバー２やカバー取付装置３を同時に支持するといった一人の施工者で行うには困難な作業を無くすることができ、略垂直に配設されたケーブルラック１に対してカバー２を取り付ける場合や、傾斜状態に敷設したケーブルラック１にカバー２を沿わせるかたちで取り付ける場合など、ケーブルラック１に沿わせて配置したカバー２が自身の重量でケーブルラック１に対して摺動してしまう可能性のある場合における、施工の容易化を図ることができる。また、連結部１０が一体物であるから、図２０，２１の従来技術の例のボルト４８等で構成した連結部１０’に比べ、部材点数の減少を図れると共にその煩雑な締結作業も省くことができ、構成部材点数を抑えて構成を簡略化できると共に、ケーブルラック１へのカバー２の取付作業の施工性も向上できる。
【００１０】
また、取着部９を係止部８の対向位置に位置して設けると共に、取着部９と係止部８との間に立設させた連結部１０でカバー２を支持するようにしたことも好ましい。これによると、並設した親桁４における幅方向の一端部の間に子桁５を架設してケーブルラック１を形成し、このケーブルラック１をたとえば略垂直に配設し、子桁５が架設されない側である親桁４の幅方向の他端部の間にカバー２を架け渡すように取り付ける際に、係止部８を子桁５内に係止し、この係止部８の対向位置に位置した取着部９にカバー２を取着し、一体物の剛体である連結部１０にてカバー２を強固に支持させ得るから、有効に用いることができる。
【００１１】
また、連結部１０は、大略板状をなすと共に、カバー２の取り付け状態においてケーブルラック１の親桁４と平行となるように設けたことも好ましい。これによると、略垂直に配設したケーブルラック１にカバー２を取り付けたとき、カバー２の自重方向である親桁４の長手方向に連結部１０の幅方向を向けることができ、連結部１０にて有効にカバー２の自重を受けることができる。すなわち、連結部１０は、カバー２の自重の向き（垂直方向）に対して板面を向けない方向に設定され、カバー２の自重によるモーメントによる連結部１０の変形防止を図ることで、カバー２の支持強度の向上を図ることができる。
【００１２】
また、取着部９、係止部８及び連結部１０を一体に形成したことも好ましい。これによると、カバー取付装置３の構成の簡略化を図ることができる。
【００１３】
また、板材１４の一端と他端とをそれぞれ折り曲げて取着部９及び係止部８を形成すると共に、該折り曲げた一端と他端との間の板材１４の部位を連結部１０としたことも好ましい。これによると、カバー取付装置３を一体物である剛体として構成でき、カバー取付装置３の更なる構成の容易化は勿論、強度向上をも図ることができる。
【００１４】
また、断面リップ付きコ字状の長尺材で子桁５を構成し、略矩形板状に係止部８を形成し、係止部８の短辺長さａを子桁５の１対のリップ片５ｃ間の開口幅Ｈより短く形成すると共に、係止部８の長辺長さｂを該１対のリップ片５ｃ間の開口幅Ｈより長く形成したことも好ましい。これによると、子桁５のリップ片５ｃ間の開口幅方向に係止部８の短辺方向を合わせると、子桁５内に係止部８がスムーズに挿入され、次いで、子桁５内に挿入した係止部８をその場で水平回転させると、係止部８の長辺の両端部を１対のリップ片５ｃの内方にもぐり込ませて、この係止部８の長辺の両端部を子桁５内に係止させることができるのであり、係止部８の子桁５内への係止作業をスムーズに行わせることができる。
【００１５】
また、親桁４の長手方向に略直交して子桁５を交差させると共に、この子桁５を断面コ字状に形成したケーブルラック１にカバー２を取り付ける取付装置３であって、取着部９は、子桁５内に係止させる係止部８に対して親桁４の長手方向の側に位置し、連結部１０を子桁５の側壁５ｂを跨いで係止部８と取着部９とを連結するようにしたことも好ましい。これによると、並設した親桁４における幅方向の一端部の間に子桁５を架設してケーブルラック１を形成し、このケーブルラック１をたとえば略垂直に配設し、親桁４の幅方向の一端部の間にカバー２を架け渡すように取り付ける際に、係止部８を子桁５内に係止し、係止部８から連設した連結部１０が子桁５の側壁５ｂを跨いで取着部９に至るようにすると、取着部９を係止部８に対して親桁４の長手方向の側に位置した子桁５の外方位置に位置でき、この取着部９にカバー２を取着できるから、有効に用いることができる。
【００１６】
また、係止部８を、連結部１０から延設して子桁５内に挿入される挿入部３２と、該挿入部３２と摺動可能に係合すると共に摺動して子桁５内に係止する摺動部３５とから形成したことも好ましい。これによると、係止部８を子桁５内に係止させてカバー取付装置３をケーブルラック１に固定させるのに、予め子桁５内に配設した摺動部３５に連結部１０から延設した挿入部３２を摺動させて係合させることで行え、係止部８の子桁５内への係止作業の向上を図ることができる。
【００１７】
また、板材１４の中央域にその幅方向に亙って凹没する凹没部１４ｂを形成し、この凹没部１４ｂで連結部１０を構成し、凹没部１４ｂの一端側から延設した板材１４の部位で取着部９を形成し、凹没部１４ｂの他端側から延設した板材１４の部位で係止部８を形成したことも好ましい。これによると、カバー取付装置３を一体物である剛体として構成でき、カバー取付装置３の構成の容易化は勿論、強度向上をも図ることができる。
【００１８】
また、子桁５内に係止する係止片３４を連結部１０に設けたことも好ましい。これによると、カバー取付装置３をケーブルラック１に固定させるのに、係止部８の子桁５内への係止に加え、連結部１０も係止片３４にて子桁５内に係止できるから、カバー取付装置３のケーブルラック１への取付強度の向上を図ることができる。
【００１９】
また、ケーブルラックのカバー取付構造であって、親桁４と子桁５からなるケーブルラック１に、上記いずれかのカバー取付装置３を介してカバー２を取り付けたことも好ましい。
【００２０】
【発明の実施の形態】
本発明は、親桁４と子桁５とからなるケーブルラック１にカバー２を取り付けるカバー取付装置３、及びこのカバー取付装置３を用いてカバー２をケーブルラック１に取り付けたケーブルラック１のカバー取付構造であり、略垂直に配設したケーブルラック１や傾斜状態に配設したケーブルラック１にカバー２を取り付ける態様に適し、カバー取付装置３の構成部材点数を抑えて構成を簡略化すると共に、取付施工性の向上も図り得るようにしたことに発明の主旨がある。以下、本発明を添付図面に示す実施形態に基づいて説明するが、まず、本発明の前提となるケーブルラック１、カバー２について説明する。
【００２１】
ケーブルラック１は、一対の長尺の親桁４を平行に並べて配置し、この一対の親桁４の間に親桁４の長手方向に間隔を隔てて複数の子桁５を架設することで構成された梯子状の骨組体である。詳しくは、親桁４は、主体壁４ａの幅方向の両端部から内方に折り曲げた折曲壁４ｂを延設した断面略コ字状の長尺部材である。なお、主体壁４ａの幅方向の中央部分には内方に薄く凹没した凹条部６がその長手方向に亙って形成されている。また、子桁５は、底壁５ａの幅方向両端から側壁５ｂをそれぞれ立ち上げ、側壁５ｂの上端から対向する側壁５ｂに向けてリップ片５ｃを延設した断面リップ付きコ字状の長尺部材である。なお、各リップ片５ｃの突出端には底壁５ａに向けて突条片７が突設されている。そして、親桁４の一方の折曲壁４ｂの内面に子桁５の底壁５ａを載せると共に親桁４の長手方向及び幅方向と子桁５の長手方向とが略直交した位置関係を有するかたちで、一対の親桁４間に子桁５は架設されている。上記構成のケーブルラック１は、一対の対向する親桁４と複数の子桁５とで囲まれた配線空間Ｓに、電源ケーブルなどのケーブルＫを配線して使用される。なお、ケーブルラック１にはその表面に耐候性等を備えさせる被膜が表面処理によって施されている。この被膜は、ケーブルラック１の地金と異なり導電性は有さないものである。
【００２２】
カバー２は、ケーブルラック１の一対の親桁４の主体壁４ａ間の寸法にその幅寸法を略合わせた板面部２ａで主体が構成され、親桁４の折曲壁４ｂの外面に板面部２ａを積層配置したときに親桁４の主体壁４ａの外面に沿うような折曲部２ｂが、板面部２ａの幅方向の端部から延設されている。このカバー２は、ケーブルラック１の敷設場所などの使用状態によりケーブルラック１に適宜取り付けられるもので、ケーブルラック１同様、その表面には耐候性等を備えさせる被膜が表面処理によって施されている。この被膜は、カバー２の地金と異なり導電性は有さないものである。
【００２３】
なお、下記に挙げる本発明の実施の形態の諸例のカバー取付装置３は、その共通事項として、ケーブルラック１の子桁５内に係止させる係止部８と、カバー２を取り付ける取着部９と、係止部８と取着部９とを連結する一体物である連結部１０とで主体が構成され、ケーブルラック１の一部に対向するラック対向部１１と、カバー２の一部に対向するカバー対向部１２とを有し、ラック対向部１１には、ケーブルラック１に向けて締め付けることでケーブルラック１とカバー取付装置３との電気的接続を行わせる第１雄ねじ部材１８ａを挿通させる第１ねじ貫通孔１７ａが穿孔されており、カバー対向部１２には、カバー２に向けて締め付けることでカバー２とカバー取付装置３との電気的接続を行わせる第２雄ねじ部材１８ｂが挿通される第２ねじ貫通孔１７ｂが穿孔されている。なお、各ねじ貫通孔１７ａ，１７ｂの孔内面には雌ネジが刻設されている。
【００２４】
図１乃至図９に本発明の実施の形態の例を示す。本例のカバー取付装置３は、図２に示すように、対向して位置する係止部８と取着部９とを連結部１０で連結した側面視コ字板状の金属部材である。具体的に、本例のカバー取付装置３は、材料である板材１４の長手方向の一端と他端とをそれぞれ折り曲げて取着部９及び係止部８を形成すると共に、該折り曲げた一端と他端との間の板材１４の部位を連結部１０とするように形成したものである。このように本例のカバー取付装置３は、一の板材１４にて形成されたことで、構成部材点数が抑えられて構成が簡略化し、また簡単に形成可能なものであり、更には剛体化されて高い剛性強度が備えられている。ここで、係止部８は平面視で略矩形状の外形形状を有し、その短辺長さａは子桁５の１対のリップ片５ｃ間の開口幅Ｈより短く形成されると共に、その長辺長さｂは該１対のリップ片５ｃ間の開口幅Ｈより長く形成されている。また、板状の連結部１０は係止部８の長辺である端縁に沿って立設されて取着部９に至るものであり、後述するように取着部９にカバー２を取着した際にはカバー２の自重を支持するようになる。この連結部１０には、カバー２の自重に対する剛性強度を高めるために、長さ方向に延伸して連結部１０に凹凸断面を形成する補強リブ２６が複数条並べて設けられている。なお、この連結部１０における係止部８から取着部９に至る長さ寸法は、略親桁４の幅方向寸法と略同等長さに設定されている。
【００２５】
ここで、本例のカバー取付装置３にあっては、子桁５内に係止される係止部８がラック対向部１１を構成しており、カバー２に対向する取着部９がカバー対向部１２を構成している。そして、ラック対向部１１である係止部８には第１ねじ貫通孔１７ａが、カバー対向部１２である取着部９には第２ねじ貫通孔１７ｂが穿孔されている。なお、本例の第２ねじ貫通孔１７ｂに挿入する第２雄ねじ部材１８ｂには、図３に示す頭部２７の座面にカバー２の被膜を破って地金に接触する刃部２８が形成されたものを用いている。
【００２６】
以下には、このカバー取付装置３を用いて、カバー２をケーブルラック１に取り付ける施工例を示す。なお、ここでは、並設した親桁４における幅方向の一端部（以下、一方の折曲壁４ｂ）の間に子桁５を架設してケーブルラック１を形成し、このケーブルラック１を略垂直に配設し、子桁５が架設されず且つ子桁５のリップ片５ｃ間の開口方向に位置する親桁４の幅方向の他端部（以下、他方の折曲壁４ｂ）の間に側方からカバー２を架け渡すように取り付ける場合について説明する。
【００２７】
まず、図４のように、ケーブルラック１の子桁５のリップ片５ｃ間の開口から子桁５の内方にカバー取付装置３の係止部８を挿入する。このときには、子桁５のリップ片５ｃ間の開口幅方向にカバー取付装置３の係止部８の短辺方向を合わせるようにして行う。そして、図５のように、子桁５内に挿入した係止部８をその場で水平回転させ（矢印Ｂ）、係止部８の長辺の両端部を１対のリップ片５ｃの内方にもぐり込ませる。この状態は、係止部８の長辺の両端部が、子桁５の底壁５ａ内面とリップ片５ｃの突条片７との間で保持されるといった仮係止状態となっている。このように係止部８を子桁５内に係止させる作業は、上述したように子桁５内に挿入した係止部８をその場で水平回転させるといったものであり、簡略な構成で簡略且つスムーズに行わせることができて作業性の向上が図られている。そして、図６のように、第１ねじ貫通孔１７ａに第１雄ねじ部材１８ａを挿入し、子桁５に向けて螺進させ、第１雄ねじ部材１８ａの先端を子桁５の底壁５ａの内面に押し付け締め付ける。この第１雄ねじ部材１８ａの締め付けによると、図７のように、係止部８が浮き上がって係止部８の長辺の両端部がリップ片５ｃの突条片７の内面に押圧され、係止部８が子桁５に強固に係止固定される。そして、図１，８及び９のように、カバー２の板面部２ａに穿孔した透孔２９を第２ねじ貫通孔１７ｂに連通させるようにして、カバー２を一対の親桁４の他方の折曲壁４ｂに沿わせるように配置し、第２雄ねじ部材１８ｂをカバー２の外方から透孔２９に通して第２ねじ貫通孔１７ｂに螺入、締め付けることで、カバー２をカバー取付装置３の取着部９に固定させる。これにより、カバー取付装置３を介してカバー２はケーブルラック１に取り付けられる。ここで、カバー２がケーブルラック１に取付られた状態では、カバー取付装置３の板状の連結部１０は、カバー２の自重方向である親桁４の長手方向に連結部１０の幅方向が向いており、連結部１０にて有効にカバー２の自重を受けるようになっている。すなわち、連結部１０は、カバー２の自重の向き（垂直方向）に対して板面を向けない方向に設定され、カバー２の自重によるモーメントによる連結部１０の変形防止が図られ、カバー２の支持強度の向上が図られている。
【００２８】
なお、カバー取付装置３の表面にも、ケーブルラック１やカバー２と同様に、耐候性等を備えさせる被膜が表面処理によって施されている。この被膜もカバー取付装置３の地金と異なり導電性は有さないものである。しかして、カバー取付装置３を従来技術の例（図１９乃至２１）のようにカバー２を伴ってケーブルラック１に単に固定（機械的接続）させただけでは、ケーブルラック１（ケーブルラック１にカバー２を取り付けた際にはカバー２も含む）に本来的に要求される構成部材間の電気的接続は為されないものであるが、本例では、下記のようにしてケーブルラック１の構成部材間に電気的接続を備えさせるようにしている。
【００２９】
つまり、第１雄ねじ部材１８ａを第１ねじ貫通孔１７ａに通してケーブルラック１の子桁５に向けて締め付けた際には、第１雄ねじ部材１８ａの先端がケーブルラック１の被膜を破ってケーブルラック１の地金に接触する。第１雄ねじ部材１８ａは第１ねじ貫通孔１７ａの孔内面でカバー取付装置３の地金と接触しているので、第１雄ねじ部材１８ａによってケーブルラック１とカバー取付装置３とが電気的に接続される。また、第２雄ねじ部材１８ｂを第２ねじ貫通孔１７ｂに締め付けた際には、第２雄ねじ部材１８ｂの頭部２７に設けた刃部２８がカバー２の被膜を破ってカバー２の地金に接触する。この第２雄ねじ部材１８ｂも第２ねじ貫通孔１７ｂの孔内面でカバー取付装置３の地金と接触しているので、第２雄ねじ部材１８ｂによってカバー２とカバー取付装置３とが電気的に接続される。すなわち、このカバー取付装置３を介してカバー２とケーブルラック１とが電気的に接続されるのである。なお、各ねじ貫通孔１７の穿孔加工と表面処理とのタイミングによって各ねじ貫通孔１７の孔内面にも被膜が施されていても、各雄ねじ部材１８が各ねじ貫通孔１７の孔内面に刻設された雌ねじに螺入する際の擦れによって、孔内面の被膜は剥がれてカバー取付装置３の地金と各雄ねじ部材１８とが接触し、各雄ねじ部材１８とカバー取付装置３との電気的接続が確保されるのは言うまでもない。
【００３０】
上述したように、本例のカバー取付装置３を用いたカバー２のケーブルラック１への取付作業は、係止部８を子桁５内に係止させたカバー取付装置３の取着部９にカバー２を取着させて、カバー２をケーブルラック１に取り付けるといったように、カバー２のケーブルラック１への取付作業が段階的に行えるようにされている。つまり、本例では、ケーブルラック１に対してカバー２及びカバー取付装置３を同時に所定位置に維持させた状態で各部材の連結作業を行わせる、といった一人の施工者では対応困難な作業を無くするようにされており、施工の容易化が図られている。上記施工説明のように、略垂直に配置したケーブルラック１に対してカバー２を伴ってカバー取付装置３を取り付けるにあたっては、特に、重量のあるカバー２をカバー取付装置３と共に所定位置に維持させる必要がなくなるので、上記施工の容易化の効果は大きい。つまり、本例のカバー取付装置３（カバー取付装置３を介したカバー２のケーブルラック１への取付構造）は、特に、並設した親桁４における幅方向の一端部の間に子桁５を架設してケーブルラック１を形成し、このケーブルラック１を略垂直に配設し、子桁５が架設されない側である親桁４の幅方向の他端部の間にカバー２を架け渡すように取り付ける場合など、ケーブルラック１に沿わせて配置したカバー２が自身の重量でケーブルラック１に対して摺動してしまう可能性のある場合に、用いるのに適しているのである。
【００３１】
しかも、上記施工説明のようにカバー取付装置３を介したカバー２のケーブルラック１への固定（機械的接続）と同時に、カバー２とケーブルラック１との間にカバー取付装置３を介した電気的接続が為されるようになっている。したがって、カバー２とケーブルラック１との機械的接続及び電気的接続が一のカバー取付装置３を用いるだけで行われ、簡単な構造で電気的接続を伴なったカバー２のケーブルラック１への機械的接続をも可能にするといった利点も有している。更に言うと、本例のカバー取付装置３を用いたカバー２のケーブルラック１への取付構造では、カバー２のケーブルラック１への電気的接続と機械的接続とを同一の部材（カバー取付装置３）で行わせているが、具体的に電気的接続及び機械的接続を行わせる作業は雄ねじ部材１８ａ，１８ｂの締結作業で行わせているのであり、簡略な構成、簡略な作業で行い得るといった利点も有している。
【００３２】
なお、本例のカバー取付装置３は、上述のように略垂直、傾斜状に敷設したケーブルラック１にカバー２を沿わせるかたちで取り付ける場合に用いるのに適しているが、略水平に敷設したケーブルラック１にカバー２を沿わせるかたちで取り付ける場合（図１９参照）にも用いることが可能なのは言うまでもない。
【００３３】
また、図１０乃至図１８に本発明の実施の形態の他例を示す。本例のカバー取付装置３は、図１０に示す親金具３０と図１１に示す子金具３１とを一体化して構成される（図１２）。具体的に、親金具３０は、親金具３０の材料である板材１４の長手方向の中央域に幅方向に亙って凹没した凹没部１４ｂを形成し、凹没部１４ｂを間に挟んで位置する板材１４の長手方向の両端部を略同平面上に位置させた側面視フランジ付きＵ字形状の金属部材であり、この板材１４の長手方向の一端部で取着部９を、他端部で挿入部３２を、上記凹没部１４ｂで連結部１０をそれぞれ構成している。ここで、上記取着部９はカバー対向部１２を構成すると共に第２ねじ貫通孔１７ｂが穿孔されている。また、挿入部３２は子金具３１と一体化される部位であって、一体化した子金具３１と共にケーブルラック１に係止する係止部８を構成すると共に、子桁５の底壁５ａ内面に対向するラック対向部１１を構成し、第１ねじ貫通孔１７ａが穿孔されている。また、挿入部３２には親金具３０の幅方向の外方に突出したストッパ３３が形成されている。また、連結部１０における挿入部３２への連設部位には凹没部１４ｂの凹没空間ｓ内に突出する係止片３４が形成されている。
【００３４】
一方、子金具３１は、親金具３０の挿入部３２と一体化されて係止部８を構成する部材であり、親金具３０の挿入部３２を摺動可能に挿入する摺動部３５を有している。具体的に、子金具３１は、子金具３１の材料である板材１４の板面部１４ａの幅方向両端を下方に折り曲げて、側面視Ｌ字状の支持片３７を形成した正面視略逆Ｕ字状の金属部材である。上記摺動部３５は板面部１４ａと一対の支持片３７とで囲まれた空間が構成している。また、この板面部１４ａの中央部には板材１４の長さ方向の一端部からスリット３６が切り込まれており、スリット３６が切り込まれない板材１４の長さ方向の他端部は、子桁５のリップ片５ｃ内に係止する引掛部３８を構成している。
【００３５】
親金具３０と子金具３１との一体化は、図１２のように、親金具３０の挿入部３２を子金具３１の摺動部３５にスライド挿入し、親金具３０のストッパ３３を子金具３１の支持片３７上に載置させて、子金具３１の板面部１４ａと支持片３７とで挿入部３２を挟持させるように行われる。なお、このときには、スリット３６と第１ねじ貫通孔１７ａとは連通状態になると共に、衝突位置にあるストッパ３３と支持片３７とが摺動部３５からの挿入部３２の抜け止めを施している。ここで、一体化した親金具３０と子金具３１とからなるカバー取付装置３は、後述するように係止部８を子桁５内に係止させてケーブルラック１に固定される。
【００３６】
以下には、このカバー取付装置３を用いて、カバー２をケーブルラック１に取り付ける施工例を示す。なお、ここでは、並設した親桁４における幅方向の一端部（以下、一方の折曲壁４ｂ）の間に子桁５を架設してケーブルラック１を形成し、このケーブルラック１を略垂直に配設し、親桁４の一方の折曲壁４ｂの間に側方からカバー２を架け渡すように取り付ける場合について説明する。
【００３７】
まず、図１３のように、ケーブルラック１の親桁４の一方の折曲壁４ｂの間にカバー２を配置しておく。なお、カバー２には板面部２ａの適所に透孔２９が穿孔されている。そして、図１４のように、親金具３０の取着部９の第２ねじ貫通孔１７ｂをカバー２の透孔２９と連通状態にするように、親金具３０の係止片３４を子桁５のリップ片５ｃの突条片７に引っ掛け、親金具３０の挿入部３２を子桁５の内方に配置する。このときには、親金具３０の取着部９は挿入部３２に対して親桁４の長手方向の側に位置しており、挿入部３２と取着部９とを連結する連結部１０は子桁５の側壁５ｂを跨ぐように配置される。そして、親金具３０の挿入部３２を子金具３１の摺動部３５内に挿入して親金具３０と子金具３１とを一体化し、カバー取付装置３を形成する。そして、挿入部３２に被せて配置された子金具３１の上から連通状態のスリット３６及び第１ねじ貫通孔１７ａに第１雄ねじ部材１８ａを子桁５の底壁５ａに向けて軽く螺入させる。このときには、第１雄ねじ部材１８ａの先端が子桁５の底壁５ａ内面を押圧してカバー取付装置３を浮き上げ、親金具３０の係止片３４を子桁５のリップ片５ｃ内面に押圧して係止部８を子桁５の内方に係止させ、カバー取付装置３をケーブルラック１に仮固定させる。そして、図１５に示すように、透孔２９及び第２ねじ貫通孔１７ｂに第２雄ねじ部材１８ｂを螺入してカバー２とカバー取付装置３とを固定する。なお、第２雄ねじ部材１８ｂには、先の実施の形態の例同様、頭部２７の座面にカバー２の被膜を破って地金に接触する刃部２８が形成されたものを用いる（図３参照）。この第２ねじ貫通孔１７ｂに第２雄ねじ部材１８ｂを螺合させたときには、第２雄ねじ部材１８ｂの頭部２７の刃部２８がカバー２の被膜を削ってカバー２の地金に接触し、第２雄ねじ部材１８ｂを介してカバー２とカバー取付装置３とは機械的・電気的接続がされている。そして、図１６のように、挿入部３２を摺動部３５内にスライドさせるべく子金具３１をスライドし（矢印Ｃ）、親金具３０の係止片３４が係止されない側のリップ片５ｃ内に子金具３１の引掛部３８をもぐり込ませる。そして、スリット３６及び第１ねじ貫通孔１７ａに螺合されている第１雄ねじ部材１８ａを子桁５の底壁５ａの内面に向ってきつく締めつけることで、係止部８を子桁５の内方に強く係止させ、カバー取付装置３をケーブルラック１に固定させる。この状態では、図１７，１８のように、第１雄ねじ部材１８ａの締め付けにしたがって、カバー取付装置３が子桁５の底壁５ａの内面から離れるように浮き上がり、親金具３０の係止片３４及び子金具３１の引掛部３８が子桁５の両リップ片５ｃの内面に強く押圧されることから、係止部８が子桁５の内方に強く係止されてカバー取付装置３のケーブルラック１への強固な固定が確保されている。以上のように、カバー取付装置３を介してカバー２がケーブルラック１に取り付けられる。なお、上述した施工手順は一例であって適宜変更可能であり、たとえば挿入部３２を摺動部３５に挿入してカバー取付装置３を形成した後に、このカバー取付装置３の係止部８を子桁５内に配設、固定する手順をふんでもよい。
【００３８】
ここで、第１雄ねじ部材１８ａを第１ねじ貫通孔１７ａに締め付けた際には、第１雄ねじ部材１８ａの先端がケーブルラック１の被膜を破ってケーブルラック１の地金に接触し、第１雄ねじ部材１８ａを介してケーブルラック１とカバー取付装置３とが電気的に接続される。一方、第２雄ねじ部材１８ｂを第２ねじ貫通孔１７ｂに締め付けた際には、第２雄ねじ部材１８ｂの頭部２７に設けた刃部２８がカバー２の被膜を破ってカバー２の地金に接触し、第２雄ねじ部材１８ｂを介してカバー２とカバー取付装置３とが電気的に接続される。しかして、カバー取付装置３を介してカバー２とケーブルラック１とが電気的に接続される。
【００３９】
上述したように本例のカバー取付装置３を用いたカバー２のケーブルラック１への取付作業も、先の実施の形態の例同様、カバー取付装置３を介したカバー２とケーブルラック１との機械的接続と同時に、カバー２とケーブルラック１とにカバー取付装置３を介した電気的接続が行われるようになっている。したがって、カバー２とケーブルラック１との機械的接続及び電気的接続が、一のカバー取付装置３を用いるだけで行われ、簡単な構造で電気的接続を伴なったカバー２のケーブルラック１への機械的接続が可能にされているのである。更に言うと、本例のカバー取付装置３を用いたカバー２のケーブルラック１への取付構造では、カバー２のケーブルラック１への電気的接続と機械的接続とを同一の部材（カバー取付装置３）で行わせており、具体的に電気的接続及び機械的接続を行わせる作業は雄ねじ部材１８ａ，１８ｂの締結作業であり、簡略な構成、簡略な作業で行うことができるようにされている利点も有している。
【００４０】
また、先の例同様、係止部８を子桁５内に係止させたカバー取付装置３の取着部９にカバー２を取着させて、カバー２をケーブルラック１に取り付けるといったように、カバー２のケーブルラック１への取付作業が段階的に行えるようにされているので、ケーブルラック１に対してカバー２及びカバー取付装置３を同時に所定位置に維持させた状態で各部材の連結作業を行わせる、といった一人の施工者では対応困難な作業を無くするようにされ、施工の容易化が図られている。しかして、上記説明のように略垂直に敷設したケーブルラック１にカバー２を沿わせるかたちで取り付ける場合や、傾斜状態に敷設したケーブルラック１にカバー２を沿わせるかたちで取り付ける場合など、つまりケーブルラック１に沿わせて配置したカバー２が自身の重量でケーブルラック１に対して摺動してしまう可能性のある場合に用いるのに適しているが、略水平に敷設したケーブルラック１にカバー２を沿わせるかたちでケーブルラック１にカバー２を取り付ける場合（図１９参照）にも用いることが可能なのは言うまでもない。
【００４１】
また、図示はしないが、本例におけるカバー取付装置３を、子金具３１を廃し、連結部１０から折り曲げて突出される挿入部３２の突出先端に引掛部３８を設けてなる親金具３０のみで構成するといった一体形成物のカバー取付装置３にしても、子桁５の両リップ片５ｃに引掛部３８及び係止片３４を係止させることで子桁５内に親金具３０を係止可能にすれば、代替して用いることができる。
【００４２】
また、子桁５に添わせるようにカバー２をケーブルラック１に取り付ける場合であって、図示はしないが、子桁５の底壁５ａの外面が親桁４の折曲壁４ｂの内面に載置固定された際には、子桁５の底壁５ａの外面と親桁４の折曲壁４ｂの外面との高さレベルには厳密には親桁４の折曲壁４ｂの厚み分の段差が形成されるのであるが、扁平板状の板面部２ａのみで構成したカバー２を上記段差内に収めるように配置してもよく、また、積層する子桁５の底壁５ａの外面と親桁４の折曲壁４ｂの内面との間に隙間が形成されて子桁５が親桁４間に架設された際には、扁平板状の板面部２ａのみで構成したカバー２の幅方向の端部を上記隙間に挟み込ませたかたちで、カバー２を配置してもよいのは言うまでもない。
【００４３】
【発明の効果】
上記のように本発明の請求項１記載の発明は、親桁と子桁からなるケーブルラックにカバーを取り付けるカバー取付装置であって、ケーブルラックの子桁内に係止させる係止部と、カバーを取着する取着部と、係止部と取着部とを連結する一体物の連結部とを備えたので、係止部を子桁内に係止させてカバー取付装置をケーブルラックに固定した状態で、一体物である連結部を介して係止部と連結した取着部にカバーを取着させてカバーをケーブルラックに取り付けるようにできるのであり、つまり、カバーのケーブルラックへの取付作業が段階的に行えるから、重量のあるカバーやカバー取付装置を同時に支持するといった一人の施工者で行うには困難な作業を無くすることができ、特に略垂直に配設されたケーブルラックに対してカバーを取り付ける場合や、傾斜状態に敷設したケーブルラックにカバーを沿わせるかたちで取り付ける場合など、ケーブルラックに沿わせて配置したカバーが自身の重量でケーブルラックに対して摺動してしまう可能性のある場合における施工の容易化を図ることができる。また、連結部が一体物であるから、図２０、２１の従来技術の例のボルト等で構成した連結部に比べて、部材点数の減少を図れると共にその煩雑な締結作業も省くことができ、構成部材点数を抑えて構成を簡略化できると共に、ケーブルラックへのカバーの取付作業の施工性も向上できる。
【００４４】
また、請求項２記載の発明にあっては、請求項１の効果に加え、取着部を係止部の対向位置に位置して設けると共に、取着部と係止部との間に立設させた連結部でカバーを支持するようにしたので、並設した親桁における幅方向の一端部の間に子桁を架設してケーブルラックを形成し、このケーブルラックをたとえば略垂直に配設し、子桁が架設されない側である親桁の幅方向の他端部の間にカバーを架け渡すように取り付ける場合に、係止部を子桁内に係止し、この係止部の対向位置に位置した取着部にカバーを取着し、一体物の剛体である連結部にてカバーを強固に支持できるから、特にこの場合に有効に用いられるカバー取付装置とすることができる。
【００４５】
また、請求項３記載の発明にあっては、請求項２の効果に加え、連結部は、大略板状をなすと共に、カバーの取り付け状態においてケーブルラックの親桁と平行となるように設けたので、略垂直に配設したケーブルラックのカバーを取り付けたとき、カバーの自重方向である親桁の長手方向に連結部の幅方向を向けることができ、連結部にて有効にカバーの自重を受けることができるから、親桁と平行となった連結部は、カバーの自重の向き（垂直方向）に対して板面を向けない方向に設定され、カバーの自重によるモーメントによる連結部の変形防止を図ることで、カバーの支持強度の向上を図ることができる。
【００４６】
また、請求項４記載の発明にあっては、請求項２または３の効果に加え、取着部、係止部及び連結部を一体に形成したので、カバー取付装置の構成の簡略化を図ることができる。
【００４７】
また、請求項５記載の発明にあっては、請求項４の効果に加え、板材の一端と他端とをそれぞれ折り曲げて取着部及び係止部を形成すると共に、該折り曲げた一端と他端との間の板材の部位を連結部としたので、カバー取付装置を一体物である剛体として構成でき、カバー取付装置の更なる構成の容易化は勿論、強度向上をも図ることができる。
【００４８】
また、請求項６記載の発明にあっては、請求項５の効果に加え、断面リップ付きコ字状の長尺材で子桁を構成し、略矩形板状に係止部を形成し、係止部の短辺長さを子桁の１対のリップ片間の開口幅より短く形成すると共に、係止部の長辺長さを該１対のリップ片間の開口幅より長く形成したので、子桁のリップ片間の開口幅方向に係止部の短辺方向を合わせると、子桁内に係止部がスムーズに挿入され、次いで、子桁内に挿入した係止部をその場で水平回転させると、係止部の長辺の両端部を１対のリップ片の内方にもぐり込ませて、この係止部の長辺の両端部を子桁内に係止させることができるのであり、係止部の子桁内への係止作業をスムーズに行わせることができる。
【００４９】
また、請求項７記載の発明にあっては、請求項１の効果に加え、親桁の長手方向に略直交して子桁を交差させると共に、この子桁を断面コ字状に形成したケーブルラックにカバーを取り付ける取付装置であって、取着部は、子桁内に係止させる係止部に対して親桁の長手方向の側に位置し、連結部を子桁の側壁を跨いで係止部と取着部とを連結するようにしたので、並設した親桁における幅方向の一端部の間に子桁を架設してケーブルラックを形成し、このケーブルラックをたとえば略垂直に配設し、親桁の幅方向の一端部の間にカバーを架け渡すように取り付ける際に、係止部を子桁内に係止し、係止部から連設した連結部が子桁の側壁を跨いで取着部に至るようにすると、取着部を係止部に対して親桁の長手方向の側に位置した子桁の外方位置に位置でき、この取着部にカバーを取着できるから、特にこの場合に有効に用いられるカバー取付装置とすることができる。
【００５０】
また、請求項８記載の発明にあっては、請求項７の効果に加え、係止部を、連結部から延設して子桁内に挿入される挿入部と、該挿入部と摺動可能に係合すると共に摺動して子桁内に係止する摺動部とから形成したので、係止部を子桁内に係止させてカバー取付装置をケーブルラックに固定させるのに、予め子桁内に配設した摺動部に連結部から延設した挿入部を摺動させて係合させることで行えるから、係止部の子桁内への係止作業の向上を図ることができる。
【００５１】
また、請求項９記載の発明にあっては、請求項７の効果に加え、係止部、取着部及び連結部を一体に設けたので、カバー取付装置の構成の簡略化を図ることができる。
【００５２】
また、請求項１０記載の発明にあっては、請求項９の効果に加え、板材の中央域にその幅方向に亙って凹没する凹没部を形成し、この凹没部で連結部を構成し、凹没部の一端側から延設した板材の部位で取着部を形成し、凹没部の他端側から延設した板材の部位で係止部を形成したので、カバー取付装置を一体物である剛体として構成でき、カバー取付装置の構成の更なる容易化は勿論、強度向上をも図ることができる。
【００５３】
また、請求項１１記載の発明にあっては、請求項７乃至１０のいずれかの効果に加え、子桁内に係止する係止片を連結部に設けたので、カバー取付装置をケーブルラックに固定させるのに、係止部の子桁内への係止に加え、連結部も係止片にて子桁内に係止できるから、カバー取付装置のケーブルラックへの取付強度の向上を図ることができる。
【００５４】
また、請求項１２記載の発明にあっては、ケーブルラックのカバー取付構造であって、請求項１乃至１１のいずれかに記載のカバー取付装置を介して親桁と子桁からなるケーブルラックにカバーを取り付けたので、請求項１乃至１１のいずれかの効果を得ることができる。
【図面の簡単な説明】
【図１】本発明の実施の形態の例のカバー取付装置を用いてカバーをケーブルラックに取り付けた状態の全体斜視図である。
【図２】同上のカバー取付装置を示し、（ａ）は正面図であり、（ｂ）は側面図であり、（ｃ）は上面図であり、（ｄ）は（ａ）のＦ−Ｆ線断面図である。
【図３】同上の第２雄ねじ部材の側面図である。
【図４】同上のカバー取付装置を用いたカバーのケーブルラックへの取付作業を説明する説明図である。
【図５】同上のカバー取付装置を用いたカバーのケーブルラックへの取付作業を説明する説明図である。
【図６】同上のカバー取付装置を用いたカバーのケーブルラックへの取付作業を説明する説明図である。
【図７】同上のカバー取付装置を用いたカバーのケーブルラックへの取付作業を説明する説明図である。
【図８】同上のカバー取付装置を用いたカバーのケーブルラックへの取付作業を説明する説明図である。
【図９】同上のカバー取付装置を用いてカバーをケーブルラックに取り付けた状態を示し、（ａ）は子桁の長さ方向から見た側面断面図であり、（ｂ）はカバーを透視した上面図であり、（ｃ）は親桁の長手方向から見た側面断面図である。
【図１０】本発明の実施の形態の他例のカバー取付装置の親金具を示し、（ａ）は正面図であり、（ｂ）は左側面図であり、（ｃ）は下面図である。
【図１１】同上のカバー取付装置の子金具を示し、（ａ）は正面図であり、（ｂ）は左側面図であり、（ｃ）は下面図である。
【図１２】同上のカバー取付装置を用いてカバーをケーブルラックに取り付けた状態を示し、（ａ）は子桁の長手方向から見た側面断面図であり、（ｂ）は上面図であり、（ｃ）は親桁の長手方向から見た側面断面図である。
【図１３】同上のカバー取付装置を用いたカバーのケーブルラックへの取付作業を説明する説明図である。
【図１４】同上のカバー取付装置を用いたカバーのケーブルラックへの取付作業を説明する説明図である。
【図１５】同上のカバー取付装置を用いたカバーのケーブルラックへの取付作業を説明する説明図である。
【図１６】同上のカバー取付装置を用いたカバーのケーブルラックへの取付作業を説明する説明図である。
【図１７】同上のカバー取付装置を用いてカバーをケーブルラックに取り付けた状態の要部の斜視図である。
【図１８】同上のカバー取付装置を用いてカバーをケーブルラックに取り付けた状態の全体斜視図である。
【図１９】従来技術の例を示す分解斜視図である。
【図２０】従来技術の他例のカバー取付装置を用いてカバーをケーブルラックに取り付けた状態の全体斜視図である。
【図２１】（ａ）は同上のカバー取付装置の分解斜視図であり、（ｂ）はカバーをケーブルラックに取り付けた状態の要部の正面図である。
【符号の説明】
１  ケーブルラック
２  カバー
３  カバー取付装置
４  親桁
５  子桁
８  係止部
９  取着部
１０  連結部
【図１】
2004282854.tif 000003
【図２】
2004282854.tif 000004
【図３】
2004282854.tif 000005
【図４】
2004282854.tif 000006
【図５】
2004282854.tif 000007
【図６】
2004282854.tif 000008
【図７】
2004282854.tif 000009
【図８】
2004282854.tif 000010
【図９】
2004282854.tif 000011
【図１０】
2004282854.tif 000012
【図１１】
2004282854.tif 000013
【図１２】
2004282854.tif 000014
【図１３】
2004282854.tif 000015
【図１４】
2004282854.tif 000016
【図１５】
2004282854.tif 000017
【図１６】
2004282854.tif 000018
【図１７】
2004282854.tif 000019
【図１８】
2004282854.tif 000020
【図１９】
2004282854.tif 000021
【図２０】
2004282854.tif 000022
【図２１】
2004282854.tif 000023